(57)【要約】 【課題】リュックサックの内部に収納される品物によって通風手段が捻れるのを防止しながら、着用者の背中の汗ばみ防止を実現する。【解決手段】背板に一対の肩ひも１１２が付着され、前記背板１１０に着用者の背中と離隔されるように通風手段１が具備されるリュックサック１００において、前記通風手段１は、その背板１１０の上部と下部に具備される合成樹脂材質の上、下部固定パネル２０と、前記上、下部固定パネル２の間には、各端部が挿入されて支持されるように形成される一対の支持棒３０と、上端が前記背板１１０の上側に固定され、下端と下部固定パネル２０の間に具備される弾力固定部によって、その下部固定パネル２０を、円弧形に撓った状態の弾性力を維持して背板１１０と離隔されるように具備されるメッシュ網材質の通風板とを含むことを特徴とする通風機能を有するリュックサック１００に関するものである。【選択図】図１
2007313321.tif 000002
【特許請求の範囲】
【請求項１】
背板に一対の肩ひもが付着され、前記背板に着用者の背中と離隔されるように通風手段が具備されるリュックサックにおいて、
前記通風手段１は、その背板（１１０）の上部と下部に具備される合成樹脂材質の上、下部固定パネル（１０，２０）と、
前記上、下部固定パネルの間には、各端部が挿入されて支持されるように形成される一対の支持棒（３０）と、
上端が前記背板の上側に固定され、下端と下部固定パネルの間に具備される弾力固定部（４０）によって、その下部固定パネルを、円弧形に撓った状態の弾性力を維持して背板と離隔されるように具備されるメッシュ網材質の通風板（５０）とを含むことを特徴とする通風機能を有するリュックサック。
【請求項２】
前記弾力固定部（４０）は、背板に下部固定パネル固定時、その両端部に一緒に縫い付けられる調節帯（４２）と、前記通風板の下部に、前記下部固定パネルの長さより短い幅を有するように具備される固定クリップ（４４）とを具備していることを特徴とする請求項１に記載の通風機能を有するリュックサック。
【請求項３】
前記支持棒（３０）はお互い交差して背板と密着されるように具備されていることを特徴とする請求項１または請求項２に記載の通風機能を有するリュックサック。
【請求項４】
前記上、下部固定パネル（１０，２０）には各端部が挿入されて支持される一つ以上の補助支持棒（３２）が更に具備されていることを特徴とする請求項１または請求項２に記載の通風機能を有するリュックサック。
【請求項５】
前記弾力固定部（４０）は、下部固定パネルに形成される掛け部材（４０Ａ）と、前記通風板に前記掛け部材の幅より狭い幅を有するように形成される掛け輪部材（４０Ｂ）とによって着脱されるように構成されていることを特徴とする請求項１に記載の通風機能を有するリュックサック。
【請求項６】
前記掛け部材（４０Ａ）は、前記掛け輪部材が挿入されて引っ掛かるように、下部固定パネルに一体で一側面の開放された形態の引っ掛けホール（４６）で形成されていることを特徴とする請求項５に記載の通風機能を有するリュックサック。
【請求項７】
前記掛け輪部材（４０Ｂ）は、一側が縫い付け帯４７によって通風板に固定され、その反対側の両側に前記掛け部材に引っ掛けるＣリング部（４８）が形成されていることを特徴とする請求項５に記載の通風機能を有するリュックサック。
【請求項８】
前記下部固定パネル（２０）には、横方向に固定溝（２２ａ）を形成し、撓った状態で弾力支持されるように弾支棒（２２ｂ）が結合される支持部（２２）が更に具備されていることを特徴とする請求項１または請求項５に記載の通風機能を有するリュックサック。
【発明の詳細な説明】
【技術分野】
【０００１】
本発明は、通風機能を有するリュックサックに関するもので、より詳細には、リュックサックの内部に収納される品物によって通風手段が捻れるのを防止しながら、着用者の背中が汗ばむのを防止することができるようにした通風機能を有するリュックサックに関するものである。
【背景技術】
【０００２】
一般的にリュックサックはカバンの一種で、品物を収納した状態で着用者が背中に背負って移動などが円滑になされるように使用されるもので、通常的に一側面に背板が形成され、背板の両側に着用者の肩に掛けられる肩ひもが形成されて、登山や運動などの体の動きの多い活動時も着用者の身体にしっかりと密着して便利に使用できるように構成される。
【０００３】
しかし、このようなリュックサックは、背板が着用者の背中に密着されることによって、運動や登山などの活動によって着用者が汗をかいた場合、背中が濡れるのは勿論、濡れた背中がすぐに乾かないという問題点と共に、着用者の背中から発散される熱も密着されている背板のため容易に排出されず、着用者に不快感を与えるという問題点があった。
【０００４】
また、背板が汗に濡れた状態で持続的に着用する場合、着用者の背中がただれるという問題点も発生していただけでなく、着用者の衣服にも分泌された汗の臭いが染みるなどの問題点があった。
【０００５】
このような問題点を解消しようと、従来から背板と離隔された通風板を設置して着用者の背中に空気が円滑に疎通されるようにしたリュックサックが案出されて使用されていたところ、これを添付の図８及び図９を参照して説明すると次のとおりである。
【０００６】
図示されているように、従来の通風板の設置されたリュックサック１００は、背板１１０の上、下に平板形態に形成された金属材の上部支持板１２０と下部支持板１３０とを具備し、両端が前記上部支持板と下部支持板に支持されるように上、下に配置された一対の支持棒１４０が具備され、上端が背板１１０の上部側に固定され、下端が前記下部支持板の両側面に結合されて、下部支持板が円弧形に撓るようにして背板１１０と一定の間隔を有し、空気の疎通を円滑にしながら、着用者の背中と密着されるメッシュ網材質の通風板１５０が具備されて構成される。
【０００７】
しかし、前記のような従来のリュックサックは、上部支持板と下部支持板が金属材で形成され、両側がリベットなどによって背板に結合されることにより、長時間の使用などによって金属材質の上、下部支持板が変形されるという問題点が発生していただけでなく、リュックサックに重い品物などを収納する場合は、リュックサックが通風板を基準に一側に片寄ることになり、着用感が大変悪くなるという問題点も有していた。
【０００８】
また、前記通風板と上、下部支持板及び支持棒は、背板に一体に固定されることによって、リュックサックを洗濯しようとする場合、その上、下部支持板及び支持棒の干渉によって洗濯が相当煩わしくなるという問題点が生じていた。
【発明の開示】
【発明が解決しようとする課題】
【０００９】
そこで、本発明は、前記のような従来の諸般問題点を解消しようと案出されたもので、その目的は、リュックサックの内部に収納される品物によって通風手段が捻れるのを防止しながら、着用者の背中が汗ばむのを防止することができるようにすることにある。
【００１０】
本発明の他の目的は、下部固定パネルが撓って維持される弾性力を使用者が容易に調節できるようにすることにある。
【００１１】
本発明のまた他の目的は、支持棒の支持力がより大きくなりながら、側方への変形を最小化するようにすることにある。
【００１２】
本発明のまた他の目的は、支持棒の上、下、左、右の支持力を極大化するようにすることにある。
【００１３】
本発明のまた他の目的は、通風板の固定による下部固定パネルの弾性力を一定に維持しながら、より簡単な方式によって固定及び分離がなされるようにすることにある。
【００１４】
本発明のまた他の目的は、下部固定パネルの弾性力維持のために通風板を固定時、より簡便に固定及び分離できるようにすることにある。
【００１５】
本発明のまた他の目的は、下部固定パネルの弾性力を維持時、より大きな支持力で支持できるようにすることにある。
【課題を解決するための手段】
【００１６】
前記のような目的を達成するための本発明は、背板に一対の肩ひもが付着され、前記背板に着用者の背中と離隔されるように通風手段が具備されるリュックサックにおいて、前記通風手段は、その背板の上部と下部に具備される合成樹脂材質の上、下部固定パネルと、前記上、下部固定パネルの間には、各端部が挿入されて支持されるように形成される一対の支持棒と、上端が前記背板の上側に固定され、下端と下部固定パネルの間に具備される弾力固定部によって、その下部固定パネルを、円弧形に撓った状態の弾性力を維持して背板と離隔されるように具備されるメッシュ網材質の通風板とを含むことを特徴とする。
【発明の効果】
【００１７】
上述の通り、本発明は、リュックサックに具備される通風手段である下部固定パネルの全体面が背板の下端に一体に固定されるようにして、収納される重量によって通風手段が捩れるのを防止しながら、着用者の背中が汗ばむのを防止することによって、リュックサックに重い品物が収納されてもリュックサックと背板がお互い離隔されて、リュックサックの片寄りや捩れが防止されることにより、着用感が更に安定的になるのは勿論、長時間の着用時も着用者の背中が汗ばむのを防止して、快適に使用することができるという効果を有するのである。
【００１８】
また、背板と下部固定パネルの間の弾性力を、弾力固定部の調節帯と固定クリップによって使用者が調節できるようにすることによって、長時間使用時も、背板と通風板の間の弾性力が低下されて通風板の通風効果が低下されたり、通風板と背板がお互い捩れるのを防止することができるという効果も有するのである。
【００１９】
また、支持棒を交差させると共に、補助支持棒を更に具備して支持力を高めることによって、側方に変形されるのを最小化することにより、リュックサックを背負った状態で過激な運動や登山などをする時も、通風板が安定的にリュックサックを支持することができるようになり、更に快適で安定的に使用することができるという効果も有するのである。
【００２０】
また、背板と通風板の間隔を維持するための弾力固定部をワンタッチ方式のような掛け方式で具備することによって、使用者が便利かつ容易に固定及び分離できるようにすると共に、一回固定された状態では人為的に分離させない限り背板と通風板が持続的に一定間隔を維持することができるという効果も有するのである。
【００２１】
また、弾力固定部を掛け方式であるＣリング部と引っ掛けホールによって固定及び分離されるようにすることによって、使用者がより容易に着脱して使用できる便利性を有するという効果も得ることになるのである。
【００２２】
また、下部固定パネルに具備される支持部によって、その下部固定パネルが弾性力を維持時、更に大きな支持力で支持されることができるという効果も有することになるのである。
【発明を実施するための最良の形態】
【００２３】
（実施の形態１）
以下、本発明の好ましい実施例を添付の図面を参照してより詳細に説明すると、次のとおりである。
【００２４】
図１は、本実施の形態を概略的に示す分離斜視図で、図２は、図１による結合状態の概略的な斜視図で、図３は、図２による底面を概略的に示した要部図である。
【００２５】
図示されているように、本実施の形態は、着用者の背中に当たるリュックサック１００の背板１１０に、着用者の背中と背板１１０がお互い離隔され、その背板と着用者の背中の間に空気が円滑に循環されるように通風手段１を具備するのだが、前記通風手段は、リュックサックの重さによって捩れてリュックサックの着用感が低下されるのを防止するようにしたものである。
【００２６】
前記リュックサックは、内部に収納部が形成され、一側面に背板１１０を形成して、着用者が両肩に肩ひも１１２を掛けた後、背板１１０が背中と当接するようにした状態で背中に背負うようにした通常のリュックサックである。
【００２７】
前記通風手段１は、リュックサックを着用する時、前記背板１１０の着用者の背中が離隔されるように固定され、着用者の背中に空気が円滑に疎通されるようにして、着用者の背中が汗ばんだり背板が濡れるのを防止することができるように具備されるもので、前記背板１１０の上部と下部に横方向に接着または裁縫などによって具備される合成樹脂材質の上、下部固定パネル１０，２０と、前記上、下部固定パネル１０，２０の間には、各端部がその上、下部固定パネルに挿入され、背板に当接して支持されるように形成される一対の支持棒３０と、上端が前記背板１１０の上側に固定され、下端と下部固定パネルの間に具備される弾力固定部４０によって、その下部固定パネル２０を、円弧形に撓った状態の弾性力を維持して背板１１０と離隔されるように具備されるメッシュ網材質の通風板５０とを含んで構成される。
【００２８】
前記下部固定パネル２０は、前記支持棒３０の下端が背板１１０に密着された状態で支持されるようにし、弾性によって通風板５０が背板１１０と離隔されるようにするもので、その下部固定パネルの全体面が背板１１０の下端に一体でしっかりと付着されるようにして、リュックサックに重い品物が収納される時も、下部固定パネル２０がリュックサックの下方に垂れるのを防止する役割をする。
【００２９】
前記上部固定パネル１０は、前記下部固定パネル２０と並行に背板１１０の上端に固定されるもので、前記支持棒３０が上、下部固定パネル１０，２０の間で背板１１０の形状が一定になるように支持することによって、リュックサックを着用する時、背板１１０が下側方向に垂れるのを防止する役割をするものである。
【００３０】
前記支持棒３０は、各端部が上、下部固定パネルに挿入されて支持され、背板１１０の形状が常に一定に維持されるようにするだけでなく、通風手段１によって使用者の背中から離隔されたリュックサックが垂れるのを防止するもので、弾性を有する棒形態に形成されるのが好ましい。
【００３１】
また、前記支持棒３０は、背板１１０の後面にエックス（Ｘ）字形態に交差されるようにして、各端部が上、下部固定パネル１０，２０に挿入されて支持されるようにすることによって、前記支持棒３０によって背板１１０の支持力が高まるだけでなく、背板１１０が側方に撓る時も、その復元力及び支持力が更に増大されるようにする役割をするものである。
【００３２】
また、前記上、下部固定パネル１０，２０には、背板１１０の後面リュックサックの縦方向に各端部が挿入されて支持される一つ以上の補助支持棒３２を更に具備するようにすることによって、前記背板１１０の支持力及び復元力を更に増大させることができるようにするのが好ましい。
【００３３】
前記通風板５０は、背板１１０から離隔されるように固定され、リュックサックを着用する時、着用者の背中に密着され、着用者の背中に空気が円滑に疎通されるようにするもので、空気が円滑に疎通されるメッシュ網材質で形成され、上端が前記背板１１０の上側に固定され、下端と下部固定パネル２０の間に具備される弾力固定部４０によって、その下部固定パネル２０を、円弧形に撓った状態の弾性力を維持して背板１１０と離隔されるのである。
【００３４】
言い換えると、下部固定パネル２０を背板に固定する時一緒に縫い付けられた調節帯４２を、前記通風板５０の下部にその下部固定パネル２０の長さより短い幅を有するように形成された調節クリップ４４に図２でのようにはめた後引っ張って固定させることによって、その引っ張り力によって下部固定パネル２０が円弧形に撓って弾性力を有するように維持されることになり、それによって前記通風板５０と背板１１０の間が図３でのように離隔され、空気が円滑に疎通されることのできる空間部が形成されるのである。
【００３５】
背板と通風板の離隔された距離を調節したい時は、使用者が調節帯を引っ張って固定する状態によって、前記下部固定パネルの撓り程度が決まるのである。
【００３６】
また、前記下部固定パネル２０は、全体面が背板１１０に固定されることによって、リュックサックの内部に重い品物を収納した状態でリュックサックを背負い過激に動いても、品物が一側に片寄ることによる背板１１０のよじれや垂れ下がりを防止することができ、より心地よい着用感が可能になるのである。
【００３７】
そして、前記の肩ひも１１２は、堅固な支持力のために背板１１０に付着するのが好ましいが、着用感を増進させるために通風板５０の上部に付着してもかまわず、着用者の肩と背中と密着して大きな力を支持する通風板５０の一部分にはクッション材などを付着するのもかまわない。
【００３８】
並びに、リュックサック１００の背板１１０と通風板５０及び下部固定パネル２０などが長時間の使用によって伸びたり変形されて背板１１０と通風板５０の間の間隔が狭くなったり、下部固定パネル２０の弾性が減少された場合は、弾力固定部４０の調節帯４２と固定クリップ４４を利用して再調節することによって、リュックサックの変形に関係なく、持続的で便利に使用することができるという条件を有することになるのである。
【００３９】
また、リュックサックを洗濯しようとする場合は、弾力固定部の調節帯を固定クリップから分離させて通風板を下部固定パネルから分離した後、その上、下部固定パネルに挿入支持されている支持棒及び補助支持棒などを別途に分離し、洗濯時の干渉を最小化して、容易に洗濯することができるという条件も有することになるのである。
【００４０】
図４は、本実施の形態の他の実施例を概略的に示した斜視図で、図５は、図４によるＡ部分の要部拡大斜視図で、図６は、図４によって結合される状態を概略的に示した要部底面図である。
【００４１】
図示されているように、前記背板と通風板を離隔させて円滑な通風がなされ得るように、下部固定パネルを、円弧形に撓った状態の弾性力を維持させるための弾性固定部を毎回固定クリップで調節帯を調節するのではなく、使用者が一回の簡単な着脱によって一定の弾性力に維持され得るようにするのである。
【００４２】
言い換えると、使用者がワンタッチ方式のように通風板の下部を下部固定パネルに簡単に固定、分離できるように、前記弾力固定部４０を、下部固定パネル２０に形成される掛け部材４０Ａと、前記通風板５０にその掛け部材４０Ａの幅より狭い幅を有するように形成される掛け輪部材４０Ｂとによって着脱されるように構成する。
【００４３】
前記掛け部材４０Ａは、その掛け輪部材４０Ｂが挿入されて引っ掛かるように下部固定パネル２０に一体で一側面が開放された形態の引っ掛かけホール４６で形成し、前記掛け輪部材４０Ｂは、一側が縫い付け帯４７によって通風板５０に固定され、その反対側の両側に前記掛け部材４０Ａに掛けられるＣリング部４８が形成されるのが好ましい。
【００４４】
これによって、通風板の一側に形成された掛け輪部材のＣリング部を下部固定パネルに形成された掛け部材の引っ掛けホールに掛けておき、通風板５０の他側に形成された掛け輪部材４０ＢのＣリング部４８を図６でのように下部固定パネル２０に形成された掛け部材４０Ａの引っ掛けホール４６に引っ張って掛けることによって、前記通風板の下部を下部固定パネルに簡単で便利に固定することができるのである。この時、前記掛け輪部材の幅は掛け部材の幅より狭く形成されている関係上、その幅が狭いほど下部固定パネルが一定の円弧形に撓った状態で弾性力を維持することができるもので、これによって背板と通風板の間に一定の間隔が図６でのように離隔され、円滑に空気が疎通されることができるのである。
【００４５】
また、前記のように掛け部材に固定される掛け輪部材を分離する時は、固定する時と反対方向に掛け輪部材を押し、つまり掛け部材の引っ掛けホールの外側に押して掛け輪部材のＣリング部を分離させることによって、分離も簡便に行われるのである。
【００４６】
このように、背板と通風板の間に一定の間隔が維持され、空気が円滑に疎通されるようにするための弾力固定部を掛け方式によって簡便で容易に固定及び分離することのできる便利性を有することになるもので、一回固定された状態では人為的に分離させない限り下部固定パネルが持続的に一定な弾性力を有するように維持されることになるのである。
【００４７】
一方、前記のように弾力固定部によって円弧形に撓って一定の弾性力で維持される時、より大きな支持力を有することができるようにするために、図７でのように前記下部固定パネル２０に横方向の固定溝２２ａを形成し、撓った状態で弾力支持されるように弾性力を有する弾支棒２２ｂが結合される支持部２２を更に具備する。
【００４８】
これによって、弾力固定部によって下部固定パネルが一定に撓って弾性力を有するように支持された状態で、前記支持部の弾支棒によって更に大きな支持力を有することになり、重い品物が収納された時、リュックサックの下部への垂れ下がりを源泉的に防止することができるという条件も有するのである。
【図面の簡単な説明】
【００４９】
【図１】本発明の一実施例を概略的に示した分離斜視図である。
【図２】図１により結合された状態の概略的な斜視図である。
【図３】図２による底面を概略的に示した要部図である。
【図４】本発明の他の実施例を概略的に示した斜視図である。
【図５】図４によるＡ部分の要部拡大斜視図である。
【図６】図４により結合された状態を概略的に示した要部底面図である。
【図７】本発明のまた他の実施例を概略的に示した要部斜視図である。
【図８】一般的なリュックサックの一例を概略的に示した斜視図である。
【図９】図８による底面を概略的に示した要部図である。
【符号の説明】
【００５０】
１  通風手段              
１０  上部固定パネル
２０  下部固定パネル      
２２  支持部
２２ａ  固定溝            
２２ｂ  弾支棒
３０  支持棒              
３２  補助支持棒
４０  弾力支持部          
４０Ａ  掛け部材
４０Ｂ  掛け輪部材        
４２  調節帯
４４  固定クリップ        
４６  引っ掛けホール
４７  縫い付け帯          
４８  Ｃリング部
５０  固定クリップ        
１００  リュックサック
１１０  背板                     
１１２  肩ひも
【図１】
2007313321.tif 000003
【図２】
2007313321.tif 000004
【図３】
2007313321.tif 000005
【図４】
2007313321.tif 000006
【図５】
2007313321.tif 000007
【図６】
2007313321.tif 000008
【図７】
2007313321.tif 000009
【図８】
2007313321.tif 000010
【図９】
2007313321.tif 000011